【事件の表示】
　平成　９年商標登録願第　３３３５５号拒絶査定に対する審判事件について、次のとおり審決する。
【結　論】
　本件審判の請求は、成り立たない。
【理　由】
第１　本願商標
　本願商標は、「ベーコンマヨ」の片仮名文字を横書きしてなり、第３０類「ベーコンを原料として含むマヨネーズソース」を指定商品として、平成９年３月２７日に登録出願されたものである。
　
第２　当審の拒絶の理由
　平成１４年７月１５日付けの拒絶理由通知書をもって、下記のとおり、拒絶の理由を通知した。
　　　　　　　　　　　　　　　　　記
１．本願商標は、「ベーコンマヨ」の片仮名文字を普通に用いられる方法で書してなるものであるところ、その構成中の「ベーコン」の文字部分は、「豚のバラ肉。また、これを塩漬けして、薫製にした保存食品。」(広辞苑第５版)を意味するものとして一般によく知られ、かつ、日常的に用いられる食材であるといえる。
２．また、本願商標中の「マヨ」の文字部分は、商品「マヨネーズ」の略称として、近時頻繁に用いられていることは、以下のとおりである。
(1)１９９３年５月１９日付け朝日新聞(東京、朝刊、１９頁)の「百貨店、ファストフードから料亭まで あつあつコロッケブーム」欄には、「スーパーでもこんなにあるコロッケの種類、・・・ツナマヨ　ツナとマヨネーズでツナサラダ風にあえた具をつつんだ」との記載がある。
(2)１９９５年６月７日付け朝日新聞(大阪、夕刊、３頁)の「グリーンピースみそマヨあえ(家庭でつくる簡単薬膳：１)」欄には、「・・・《材料》さや付きグルンピース３００グラム、・・・みそマヨドレッシング(白みそ３０グラム、マヨネーズ７０グラム、純米酢、・・・)」との記載がある。
(3)１９９８年１２月１８日付け日本食糧新聞の「新商品のヒット多い今年の秋季冷凍食品」欄には、「イカゲソとマヨ追加　『日清製粉・お弁当用いか焼きそば・・・に絶妙にマッチするイカゲソとマヨネーズを新たに加えた逸品として提案』」との記載がある。
(4)１９９９年２月２４日付け日本食糧新聞の「ａｍ／ｐｍが『とれたてピザ・スーパー４』発売」欄には、「『同スーパー４』はオリジナルピザの第二弾。トッピングはじゃがマヨ(ポテト、マヨネーズ、ベーコン)、・・・」との記載がある。
(5)１９９９年３月２３日付け読売新聞(大阪、朝刊、１８頁)の「［食］プロのこつアマの知恵　自家製パン 具を変えて様々な味」欄には、「《簡単にできておいしいパン》・・【ツナマヨコーンパン】・・・ツナとコーンとマヨネーズ大さじ３を混ぜる。これが具になる。・・・」との記載がある。
(6)２００１年３月２日付け日本食糧新聞の「丸大食品、韓国商材を投入、今春もシリーズ強化」欄には、「〈愛菜便・夕食〉・・・ささみマヨカツ・・・新鮮な鶏のささみに特製マヨネーズを合わせた一品・・・」との記載がある。
(7)２００１年６月２０日付け読売新聞(大阪、朝刊、２７頁)の「［食べる］赤ちゃんも一緒に　今日は作りたくないなぁ　そんな時の強〜い味方」欄には、「・・・メニューは『温野菜の梅マヨサラダ』・・・冷凍野菜を使った温野菜サラダは、ベーコンと一緒に電子レンジで加熱する。ベーコンのうまみが野菜に移り、梅風味のマヨネーズとよく合って、・・・材料と作り方・・・冷凍ミックス野菜１袋、ベーコン１００グラム、梅干し１個、マヨネーズ適量・・・」との記載がある。
(8)２００２年４月２６日付け読売新聞(東京、朝刊、２９頁)の「［食］マヨネーズ活用術　卵料理ふんわり　淡泊な食材にコク」欄には、「イカと万能ネギのゴママヨいため(２人分)　食べやすく切ったイカ１杯は水気をふき、マヨネーズ大さじ３杯、しょうゆ小さじ２杯を合わせた中へ・・・」との記載がある。
(9)２００２年６月８日付け朝日新聞(大阪地方版／愛媛、３３頁、愛媛版)の「Ｗキノコ春巻き・キムマヨ豆腐・・」欄には、「〈キムマヨ豆腐〉(1)キムチとマヨネーズを混ぜ合わせる。(2)豆腐の上に(1)をかければ出来上がり。」との記載がある。
(10)「ＥＳＳＥ／別冊エッセ」のインターネット上のホームページの「めちゃウマ特急レシピ」(ｈｔｔｐ：／／ｗｗｗ．ｆｕｓｏｓｈａ．ｃｏ．ｊｐ／ｅｘｔｒａ／ｈ１７．ｈｔｍｌ)には、「マヨネーズ」の欄に「チキンマヨ炒め、マヨフリッター、イカのマヨ辛、マヨキム納豆、サバのマヨ煮、厚揚げとアスパラのマヨ炒め、牛肉とキャベツのマヨ炒め」の記載かある。
(11)「ＳＨＡＲＰ」のインターネット上のホームページの「ヘルシー＆ダイエット」(ｈｔｔｐ：／／ｗｗｗ．ｓｈａｒｐ．ｃｏ．ｊｐ／ｅｘｃｉｔｅ／ｃｏｏｋ／ｔｅｘｔ／ｈｅｌｔｈｙ．ｈｔｍｌ)には、「ブロッコリーの梅マヨあえ」の料理名とともに、その材料として「ブロッコリー、梅干し、マヨネーズ、酢、しょうゆ」との記載がある。
(12)「主婦１００万人 くらしの裏技」のインターネット上のホームページ(ｈｔｔｐ：／／ｗｗｗ．ｕｒａｗａｚａｎｅｔ．ｃｏｍ／ｃｏｏｋ／ｕｒｃｋ００９０．ａｓｐ？ＴＣ＝２５０)には、「マヨで大トロに変身　赤身の安いマグロにはマヨネーズ＋わさび＋しょうゆで大トロの味に。」との記載がある。
(13)同「主婦１００万人 くらしの裏技」のインターネット上のホームページ(ｈｔｔｐ：／／ｗｗｗ．ｕｒａｗａｚａｎｅｔ．ｃｏｍ／ｃｏｏｋ／ｕｒｃｋ００９０．ａｓｐ？ＴＣ＝２６４)には、「マヨ＆ヨーグルトドレッシング　サラダのドレッシングとして作ってみて！マヨネーズとヨーグルトを１：１で混ぜるとおいしいよ。」との記載がある。
(14)同「主婦１００万人 くらしの裏技」のインターネット上のホームページ(ｈｔｔｐ：／／ｗｗｗ．ｕｒａｗａｚａｎｅｔ．ｃｏｍ／ｃｏｏｋ／ｕｒｃｋ００９０．ａｓｐ？ＴＣ＝２７２)には、「マヨ入り麻婆豆腐はいかが　麻婆豆腐が大好き、でもちょっと辛い！！という子供やマヨラーの方、ぜひ麻婆豆腐にマヨネーズを少し入れてみて。・・・」との記載がある。
(15)同「主婦１００万人 くらしの裏技」のインターネット上のホームページ(ｈｔｔｐ：／／ｗｗｗ．ｕｒａｗａｚａｎｅｔ．ｃｏｍ／ｃｏｏｋ／ｕｒｃｋ００９０．ａｓｐ？ＴＣ＝５８１)には、「ピリ辛カツオマヨ　おかずがなんにもないっ！！そんな時は・・鰹節とマヨネーズと七味唐辛子と醤油少々をあえて・・・」との記載がある。
(16)「ヌーベルグーＭＯＯＫ　ぱくぱくＣＯＯＫＩＮＧ３８　簡単やりくり節約おかず３３３レシピ」(株式会社ヌーベルグー、２００２年５月３０日発行)には、マヨネーズを原材料に使用した料理の名称として、「かにかまとキャベツの豆板醤マヨあえ」(４頁)、「魚肉ソーセージとキャベツのカレーマヨ炒め」(６頁)、「さけマヨの袋焼き」(７頁)、「ウインナーとかぼちゃのホットマヨあえ」(１１頁)、「マヨパン粉の落とし焼き」(頁)、「」(６０頁)、「じゃがいもとコーンのピリ辛マヨあえ」(６３頁)、「アスパラガスの豆板醤マヨ焼き」(頁)、「鶏肉のねぎマヨ焼き」(７７頁)、「豆腐のマヨチーズ焼き」(９０頁)、「春雨のキムチマヨサラダ」(１１１頁)が、その作り方とともに紹介されている。
(17)「ぜ〜んぶマヨネーズのレシピ」(株式会社学習研究社、２００２年４月２０日発行)には、マヨネーズを使用した料理が紹介されているところ、「・・・マヨ焼き」などのように、「マヨ」の語が多数使用されていることが認められる。
３．一方、マヨネーズは、それ自体調味料として様々な料理に使用されているばかりでなく、マヨネーズに、しょうゆ、からし、みそ、ケチャップといった調味料、あるいはゆで卵、パセリ、玉ネギなどの材料を加えて各種料理のソースとして、一般家庭で日常的に使用されていることは周知の事実であるところ、近時、マヨネーズにツナ、ベーコン、コーン(ｃｏｒｎ)などの具を入れた商品が市場に出回っていることは、以下のとおりである。
(1)１９９６年８月１２日付け日本食糧新聞の「キューピー『パン工房コーン＆マヨネーズ』などスプレッド９月５日から発売」欄には、「コーン＆マヨネーズ＝粒コーン、玉ネギがたくさん入ったスプレッドで、パンに塗りオーブントースターで焼くと、家庭で焼き立てのコーンマヨネーズパンのできあがり・・・」との記載がある。
(2)１９９６年１０月９日付け日本食糧新聞の「いなば食品が『ライトＮＥＷフレーク』など発売、レトルトパウチ国産品」欄には、「商品名『パンにどうぞ』ツナマヨネーズとチキンベーコンマヨネーズの二品種、・・・パンにどうぞは、マヨネーズであえたスプレッドでパンにぬりやすく、サンドイッチ向き。・・・」との記載がある。
(3)１９９８年８月１４日付け日本食糧新聞の「極洋、常温食品８品発売　環境対応の新容器も」欄には、「(株)極洋は、・・・カップ容器に詰めた調理マヨネーズ・・を発売する。・・・ツナマヨネーズ＝カップ容器詰、・・ツナとマヨネーズのスプレッド、・・・ホタテマヨネーズ＝同」との記載がある。
(4)１９９８年１１月２０日付け日本食糧新聞の「ミヨシ油脂が秋の新製品・・発売」欄には、「・・・『めんたいスプレッド７００』『わさびスプレッド７００』(固形状ドレッシング)はマヨネーズをベースにした風味スプレッドで製パン、惣菜のスプレッド、ファイリング、トッピングに最適。」との記載がある。
(5)２００１年１０月２６日付け日本食糧新聞の「日本缶詰協会がレトルト食品品評会開催、大塚化学といなば食品に農水大臣賞」欄には、「・・・いなば食品(株)の『チキンスプレッド・ベーコン入り・・』(寸評＝マヨネーズベースのスプレッドにチキンとベーコンとの組み合わせに新しさがあり・・)」との記載がある。
(6)２００２年２月１１日付け日本食糧新聞の「『パン工房ベーコン＆マヨネーズブラックペパー入り』発売(キューピー)」欄には、「マヨネーズをベースに、ベーコンや玉ネギを加え、ブラックペパーなどの香辛料で味を整えたスパイシーなスプレッド。」との記載がある。
４．前記２．で認定した事実を総合して勘案すると、一般の消費者は、「マヨ」の語から、「マヨネーズ」の語を容易に想起する場合が多いということができ、したがって、本願商標を構成する「ベーコンマヨ」の文字に接した場合は、食材としての「ベーコン」と「マヨネーズ」の略称としての「マヨ」の２語を結合したものと理解し、前記３．で認定した取引の実情からすれば、「マヨネーズにベーコンを具として入れた商品」なる意味合いを表したと認識するものとみるのが相当である。
５．そうとすれば、本願商標は、これをその指定商品である「ベーコンを原料として含むマヨネーズソース」について使用した場合は、前記４．で示した意味合いをもって、単に商品の品質を表示するにとどまり、自他商品を識別する標識たる商標を表示したものとは認識し得ないものといわざるを得ない。
　したがって、本願商標は、商標法第３条第１項第３号に該当する。
　
第３　当審の判断
　当審において、請求人に対し、新たに上記第２の拒絶理由を通知し、相当の期間を指定して意見書を提出する機会を与えたが、請求人からは何らの意見、応答もない。
　したがって、本願は、上記拒絶の理由によって拒絶をすべきものである。
　よって、結論のとおり審決する。